(57)【要約】【課題】無線タグを用いて、人の在／不在の管理を行う電話装置を提供する。【解決手段】出入り口に設置される内側無線タグリーダおよび外側無線タグリーダと接続する無線タグリーダ接続手段と、前記内側および外側の無線タグリーダが読取ったＩＤ情報を受信するＩＤ情報受信手段と、前記内側無線タグリーダおよび前記外側無線タグリーダから同一の無線タグの情報を受信したとき、その受信順から前記無線タグの入または出を検知する入出検知手段と、を有し、前記入出検知手段が入または出を検知したとき、予め定められた機能を起動または停止する電話装置により、達成できる。【選択図】図１
2009130910.tif 000002
【特許請求の範囲】
【請求項１】
出入り口に設置される内側無線タグリーダおよび外側無線タグリーダと接続する無線タグリーダ接続手段と、前記内側および外側の無線タグリーダが読取ったＩＤ情報を受信するＩＤ情報受信手段と、前記内側無線タグリーダおよび前記外側無線タグリーダから同一の無線タグのＩＤ情報を受信したとき、その受信順から前記無線タグの入または出を検知する入出検知手段と、を有し、
前記入出検知手段が入または出を検知したとき、予め定められた機能を起動または停止することを特徴とする電話装置。
【請求項２】
請求項１に記載の電話装置であって、
無線タグの存在および不在を判定する無線タグ存在判定手段をさらに有し、
前記無線タグ存在判定手段が不在と判定した状態で、当該内線電話番号に着信があったとき、留守番機能を起動することを特徴とする電話装置。
【請求項３】
請求項１に記載の電話装置であって、
無線タグの入または出を検知したとき、その無線タグのＩＤを記憶する入出無線タグ記憶手段をさらに有し、
予め定められたコマンドを受信した場合に、前記入出無線タグ記憶手段に記憶された情報の一部または全てを、前記予め定められた特定のコマンドの送信元または所定の宛先に送信することを特徴とする電話装置。
【請求項４】
請求項１に記載の電話装置であって、
入を検知し出を検知していないＩＤの無線タグの存在または不在を判定する無線タグ存在判定手段と、室内の人の存在を物理的に検知する人検知センサから人存在情報を受信する人存在情報受信手段をさらに有し、
前記無線タグ存在判定手段が不在と判定した状態で、前記人存在情報受信手段が人の存在を受信したならば、予め定められた警報や施錠や威嚇や通報等のアラーム機能を起動することを特徴とする入出検知機能を有する電話装置。
【請求項５】
請求項３に記載の電話装置であって、
前記入出無線タグ記憶手段により記憶したＩＤ毎にスケジュールを記憶するスケジュール記憶手段をさらに有し、
このスケジュール記憶手段に基づいて、予め設定されたメッセージを送信することを特徴とする入出検知機能を有する電話装置。
【発明の詳細な説明】
【技術分野】
【０００１】
本発明は電話装置に係り、特に部屋からの入出検知機能を有する電話装置に関する。
【背景技術】
【０００２】
特許文献１には、ＩＤカードリーダー付電話装置でＩＤカードを用いて出退勤管理を行う多機能型電話装置を開示している。また、特許文献２では、電光センサーで人検知を行い、鍵情報などにより不在検知して不在機能を作動させる多機能型電話装置を開示している。
【０００３】
特許文献１の発明では、勤怠管理などで個人情報を管理できる。しかし、ＩＤカードを使うという手間がかり、個人のスケジュールまでは管理されていない。また、特許文献２では、１台の電話機で複数の部屋を監視できる。しかし、人の在、不在を認識するのに人検知センサだけでなく、鍵情報も検知しており、動作が複雑になっていた。さらに、特許文献１および特許文献２に開示された発明では、外出先から電話装置内の情報を知ることができない。
【０００４】
【特許文献１】特開平０８−１７２６５２号公報
【特許文献２】特開２００４−２０７８１５号公報
【発明の開示】
【発明が解決しようとする課題】
【０００５】
本発明は、無線タグ(RFID)を用いて、人の在／不在の管理を行う電話装置を提供する。
【課題を解決するための手段】
【０００６】
上述した課題は、出入り口に設置される内側無線タグリーダおよび外側無線タグリーダと接続する無線タグリーダ接続手段と、前記内側および外側の無線タグリーダが読取ったＩＤ情報を受信するＩＤ情報受信手段と、前記内側無線タグリーダおよび前記外側無線タグリーダから同一の無線タグのＩＤ情報を受信したとき、その受信順から前記無線タグの入または出を検知する入出検知手段と、を有し、前記入出検知手段が入または出を検知したとき、予め定められた機能を起動または停止する電話装置により、達成できる。
【発明の効果】
【０００７】
本発明によれば、無線タグを用いて、人の在／不在の管理を行う電話装置を提供することができる。
【発明を実施するための最良の形態】
【０００８】
以下、本発明の実施の形態について、実施例を用い図面を参照して説明する。なお、実質同一部位には同じ参照番号を振り、説明は繰り返さない。ここで、図１は電話システムのブロック図である。図２は携帯端末のブロック図である。図３はデータベースを説明する図である。図４は親機のメイン処理のフローチャートである。図５は親機の入出判定処理のフローチャートである。図６は親機のユーザーの入出カウント処理のフローチャートである。図７は親機の外線留守応答処理のフローチャートである。図８および図９は親機と携帯端末間のスケジュール通知のシーケンス図である。
【０００９】
図１において、電話システム１００は、親機１１０と、親機１１０と無線接続された子機１２０と、親機１１０と有線接続された人検知センサ１４０、警報装置１５０、発光装置１６０、施錠装置１７０、タグリーダ１３０とから構成される。ここで、外壁５１０およびドア５２０で囲まれた建物の外に外側無線タグリーダ１３０−１を設置し、建物の内側に内側無線タグリーダ１３０−２を設置する。親機１１０は、公衆網２００と接続され、公衆網２００を介して携帯端末４１０と通信する。
【００１０】
人検知センサ１４０は、屋内の人の動きを検知する。警報装置１５０は、外部機器ＩＦ部１１４からの通知によって起動する。発光装置１６０は、外部機器ＩＦ部１１４からの通知によって発光する。施錠装置１７０は、外部機器ＩＦ部１１４からの通知によって施錠する。タグリーダ１３０は、無線タグの存在を検出したとき、親機１１０に通知する。
【００１１】
親機１１０は、公衆網２００と接続された外線ＩＦ部１１３と、子機１２０と無線接続された内線ＩＦ部１１２と、外部機器１３０〜１７０と接続された外部機器ＩＦ部１１４と、親機１１０の全体を制御する制御部１１１と、制御部１１１にカレンダ情報と時刻情報を提供するカレンダ／時計機能部１１６と、留守番電話機能部１１５と、データベース１１７とから構成される。
【００１２】
外部機器ＩＦ部１１４は、制御部１１１からの通知により、外部機器１３０〜１７０を起動させ、人検知センサ１４０からの検知を受信し制御部１１１へ情報を送信する。留守番電話機能部１１５は、通常モードと留守モードで停止／起動を行う。また、留守モードでは、電話の転送、留守録、着信メール等を実行する。制御部１１１は、情報の判定および周辺機器の制御を行う。データベース１１７は、ＩＤ情報、入出状態、スケジュールを記憶する。内線ＩＦ部１１２は、子機１２０と制御部１１１を接続する。外線ＩＦ部１１３は、公衆網２００を介して携帯端末４１０と制御部１１１とを接続する。
【００１３】
図２において、携帯端末４１０は、無線タグ４１１を保持する。この携帯端末を保持したユーザーが屋内から屋外へ出る場合、無線タグ４１１が内側無線タグリーダ１３０−２から外側無線タグリーダ１３０−１へ移動したことを検知して、親機１１０は、そのユーザーが不在であるとデータベース１１７に情報保存する。逆に、ユーザーが屋外から屋内へ帰宅する場合も、同様である。
【００１４】
予め登録されたユーザーが屋外へ全員出ている場合、制御部１１１は、施錠装置１７０の起動を外部機器ＩＦ部１１４に通知する。この通知により、施錠装置１７０が起動し、ドア５２０を施錠する。制御部１１１は、また、同時に留守番電話機能部１１５を起動し、通常モードから留守モードへ移行する。なお、留守番電話機能部１１５は、内線電話番号に対応して、起動／停止を切り替えても良い。
【００１５】
ユーザーが屋内から屋外へ全員出ている場合に、登録者以外の人物が室内に存在する事を人検知センサ１４０が検知すると、制御部１１１からの指示により、外部機器ＩＦ部１１４は警報装置１５０と発光装置１６０を起動させる。
【００１６】
ユーザーのスケジュールをデータベース１１７へ登録し、カレンダ／時計機能部１１６が提供する時刻になった場合、親機１１０は、ユーザーの所持する携帯端末４１０へ決められた用件を通知し、注意を促す。また、その通知を受信したユーザーが変更スケジュールデータを親機１１０へ返信することで、これまでのスケジュールを容易に変更することができる。
【００１７】
ユーザーの所持する携帯端末４１０から親機１１０へ指定コマンドを送信すると、親機１１０はデータベース１１７内の無線タグの在／不在状態、無線タグの入出日時、スケジュール通知日時、通知確認フラグの情報を読み出し、指定コマンドを受信した携帯端末４１０へ返信する。これにより、ユーザーは外出先から登録者全員の在／不在状態、通知が確認されたかどうかを知ることができる。
【００１８】
図３において、データベース１１７は、レコード番号３０１、無線タグＩＤ３０２、内側無線タグリーダの無線タグ検知状態３０３、外側無線タグリーダの無線タグ検知状態３０４、無線タグ移動方向３０５、無線タグの在／不在状態３０６、無線タグの入出日時３０７、スケジュール通知日時３０８、スケジュール通知用件３０９、スケジュール送信先３１０、登録者在宅数３１１、通知確認待ちフラグ３１２から構成される。制御部１１１は、タグリーダ１３０から受信した無線タグの検知状態を、内側無線タグリーダの無線タグ検知状態３０３、外側無線タグリーダの無線タグ検知状態３０４に記録する。制御部１１１は、時系列的な検知状態の変化から、無線タグ移動方向を検出し、無線タグ移動方向３０５、無線タグの在／不在状態３０６および無線タグの入出日時３０７に記録する。
【００１９】
制御部１１１は、カレンダ／時計機能部１１６からの通知を受信する時刻と、スケジュール通知日時３０８とを対比し、当該時刻になったとき、スケジュール送信先３１０の電話番号に、スケジュール通知用件３０９の用件を通知する。具体的には、レコード１では、２００７年１月３日１３：００に、電話を発信する。レコード２では、２００７年１月４日１５：００に、帰宅を促すメッセージを通知する。また、レコード４では、スケジュール通知用件３０９が「帰宅」であるがスケジュール通知日時３０８が設定されていないので、無線タグＩＤ３０２が「Ｄ」のユーザーが帰宅したとき、帰宅を通知する。
登録者在宅数３１１は、全員外出の判定に用いる。通知確認待ちフラグ３１２が立っているとき（１のとき）、通知が確認されたことを示す。なお、データベース１１７に内線電話番号を保持し、内線番号に対応する無線タグ在／不在状態３０６を参照し、内線番号ごとに留守番電話モードを設定しても良い。
【００２０】
図４Ａにおいて、メイン処理を開始すると制御部１１１は、まずデータベース１１７のレコード番号３０１の初期値を設定する（Ｓ１６１）。（初期値はレコード番号の先頭とする。）
次に、入出判定処理を実施する（Ｓ１１０）。制御部１１１は、ユーザーの入出カウント処理を実施し（Ｓ１２０）、全員外出（登録者在宅数＝０）か判定する（Ｓ１３１）。ＹＥＳのとき、制御部１１１は、施錠装置１７０を起動し、ドア５２０を施錠する（Ｓ１３２）。制御部１１１は、親機１１０に留守モードをセットし（Ｓ１３３）、人検知センサ１４０が人を検知したか判定する（Ｓ１３４）。ＹＥＳのとき、制御部１１１は、警報装置１５０を起動し（Ｓ１３６）、発光装置１６０を起動する。なお、図示の簡便のため省いたが、警報装置１５０および発光装置１６０の起動中に、ステップ１３４でＮＯとなったとき、警報装置１５０および発光装置１６０を停止する。ステップ１３１またはステップ１３４でＮＯのとき、ステップ１３９に遷移する。
【００２１】
次に、制御部１１１は、スケジュール通知日時か判定する（Ｓ１３９）。ＹＥＳのとき、制御部１１１は、携帯端末４１０へスケジュールを通知し（Ｓ１４１）、通知確認待ちフラグ３１２をセットする（Ｓ１４２）。ステップ１３９でＮＯのとき、制御部１１１は、ステップ１４１とステップ１４２をジャンプして、ステップ１４３に遷移する。
【００２２】
図４Ｂにおいて制御部１１１は、データベース１１７の通知確認待ちフラグ３１２が立っているかを判定する（Ｓ１４３）。ＹＥＳのとき、制御部１１１は、携帯端末４１０から電話があったか判定する（Ｓ１４４）。ＹＥＳのとき、制御部１１１は、了解コマンドか判定する（Ｓ１４６）。ＹＥＳのとき、制御部１１１は、通知確認待ちフラグ３１２をクリアする（Ｓ１４７）。ステップ１４３でＮＯのとき、制御部１１１は、そのままステップ１１０に戻る。ステップ１４４でＮＯのとき、制御部１１１は、再送タイミングか判定する（Ｓ１４８）。ＹＥＳのとき、制御部１１１は、携帯端末４
１０へスケジュールを再送し（Ｓ１４９）、ステップ１５３に遷移する。ステップ１４８でＮＯのとき、制御部１１１は、そのままステップ１５３に遷移する。
【００２３】
ステップ１４６でＮＯのとき、制御部１１１は、日時を含む変更コマンドか判定する（Ｓ１５１）。ＹＥＳのとき、制御部１１１は、データベース１１７のスケジュール通知日時３０８を変更し（Ｓ１５２）、ステップ１４７に遷移する。ステップ１５１でＮＯのとき、制御部１１１は、そのままステップ１５３に遷移する。
【００２４】
制御部１１１は、親機１１０のモードが留守モードか判定する（Ｓ１５３）。留守モード（ＹＥＳ）のとき、制御部１１１は、外線留守応答処理を実行し（Ｓ１６０）、ステップ１６２に遷移する。ステップ１５３で通常モード（ＮＯ）のとき、制御部１１１は、そのまま、１６２に遷移する。
【００２５】
次に制御部１１１はレコード番号３０１が最後尾か判定する（Ｓ１６２）。ＹＥＳのとき、制御部１１１は、レコード番号３０１を先頭に戻し（Ｓ１６３）、ステップ１１０に戻る。ステップ１６２でＮＯのとき、レコード番号３０１をインクリメントしてセットし（Ｓ１６４）、ステップ１１０に戻る。
【００２６】
図５において、制御部１１１は、内側無線タグリーダ１３０−２が無線タグ４１１を検知したか判定する（Ｓ５１）。ＹＥＳのとき、制御部１１１は、データベース１１７の内側無線タグリーダの無線タグ検知状態３０３と外側無線タグリーダの無線タグ検知状態３０４を参照して、次の通り分岐する（Ｓ５２）。内側：未かつ外側：未のとき、制御部１１１は、検知したＩＤを含むレコードの内側タグリーダ無線タグ検知状態を”済”として（Ｓ５３）、終了する。ステップ５２で、内側：済かつ外側：未のとき、制御部１１１は、そのまま終了する。ステップ５２で、内側：未かつ外側：済のとき、制御部１１１は、検知したＩＤを含むレコードの内側無線タグリーダ無線タグ検知状態を”済”とする（Ｓ５４）。制御部１１１は、無線タグ移動方向３０５に”出→入”をセットする（Ｓ５６）。制御部１１１は、外側無線タグリーダ無線タグ検知状態３０４を”未”とする（Ｓ５７）。制御部１１１は、内側無線タグリーダ無線タグ検知状態３０３を”未”とすし（Ｓ５８）、終了する。
【００２７】
ステップ５１でＮＯのとき、制御部１１１は、外側無線タグリーダ１３０−１が無線タグ４１１を検知したか判定する（Ｓ６０）。ＹＥＳのとき、制御部１１１は、データベース１１７の内側無線タグリーダの無線タグ検知状態３０３と外側無線タグリーダの無線タグ検知状態３０４を参照して、次の通り分岐する（Ｓ６１）。内側：未かつ外側：未のとき、制御部１１１は、検知したＩＤを含むレコードの外側無線タグリーダ無線タグ検知状態を”済”として（Ｓ６２）、終了する。ステップ６１で、内側：済かつ外側：未のとき、制御部１１１は、検知したＩＤを含むレコードの外側無線タグリーダ無線タグ検知状態を”済”とする（Ｓ６３）。制御部１１１は、無線タグ移動方向３０５に”入→出”をセットする（Ｓ６４）。制御部１１１は、内側無線タグリーダ無線タグ検知状態３０３を”未”とする（Ｓ６６）。制御部１１１は、外側無線タグリーダ無線タグ検知状態３０４を”未”とし（Ｓ６７）、終了する。ステップ６１で、内側：未かつ外側：済のとき、制御部１１１は、そのまま終了する。
【００２８】
なお、ステップ５３またはステップ６２でドア５２０を開錠し、ステップ５８またはステップ６７で施錠しても良い。この場合、図４のステップ１３２は不要となる。また、ステップ５４からステップ５９およびステップ６３からステップ６８の順序は、異なっても良い。
【００２９】
図６において、制御部１１１は、無線タグ移動方向にデータがあるか判定する（Ｓ７１）。ＹＥＳのとき、制御部１１１は、無線タグの移動方向を判定する（Ｓ７２）。”入→出”のとき、制御部１１１は、無線タグの在／不在状態３０６に不在をセットする（Ｓ７３）。制御部１１１は、登録者在宅数をデクリメントする（Ｓ７４）。制御部１１１は、無線タグ移動方向をクリアして（Ｓ７５）、終了する。ステップ７２で、”出→入”のとき、制御部１１１は、無線タグの在／不在状態３０６に在をセットする（Ｓ７６）。制御部１１１は、登録者在宅数をインクリメントする（Ｓ７７）。制御部１１１は、無線タグ移動方向をクリアして（Ｓ７８）、終了する。ステップ７１でＮＯのとき、制御部１１１は、そのまま終了する。
【００３０】
図７において、制御部１１１は、特定コマンドを受信したか判定する（Ｓ８１）。ＹＥＳのとき、制御部１１１は、変更コマンドか判定する（Ｓ８２）。ＹＥＳのとき、制御部１１１は、パラメータをデータベース１１７に書き込み（Ｓ８３）、終了する。ステップ８１またはステップ８２でＮＯのとき、制御部１１１は、そのまま終了する。
【００３１】
図８および図９を参照して、親機と携帯端末との処理シーケンス説明する。図８において、親機１１０は、携帯端末４１０にスケジュール通知を送信する（Ｓ９１）。スケジュール通知を受信した携帯端末４１０は、親機１１０に了解コマンドを発信する（Ｓ９３）。コマンドを受信した親機１１０は、コマンド受信判定処理を実施し（Ｓ９４）、了解コマンドだったので、それ以外何もしない。
【００３２】
一方、図９において、親機１１０は、携帯端末４１０にスケジュール通知を送信する（Ｓ９６）。スケジュール通知を受信した携帯端末４１０は、親機１１０に変更コマンドを発信する（Ｓ９８）。コマンドを受信した親機１１０は、コマンド受信判定処理を実施し（Ｓ９９）、変更コマンドだったので、スケジュールを再設定する（Ｓ１００）。
【００３３】
親機１１０に着信したとき、発呼携帯端末４１０の電話番号が、親機１１０に通知される。携帯端末４１０は、了解：００、変更：０１と入力する。変更のとき、続けて変更データを送信する。ステップ９４およびステップ９９では、了解か変更かを判定する。変更のとき、*０１＊２００７０１０４２０００（ここで、「＊」はコマンドの開始を意味する）は、２００７年０１月０４日２０：００に変更を意味する。
【００３４】
上述した実施例に拠れば、外出先から家族が何時外出し帰宅したのかを確認したい場合に、外出者が電話装置に問い合わせすることで、データベースに保存してある情報が外出者へ送出されるため、家族の行動を簡単に知ることができる。
【００３５】
家族全員の無線タグＩＤを登録可能なため、家族以外の人間が内側タグセンサ、又は外側タグセンサで検知されると、外部機器ＩＦ部から警報、施錠などを行い、異常を知らせてくれる。
【００３６】
また、家族以外の人間が家に侵入した場合、まず制御部で家族全員の不在を確認し、さらに人検知センサにて人の存在を確認すると、警告、発光などの威嚇を行うことができる。
【００３７】
子供のいる家庭で子供が何時までに帰宅するはずだがまだ外出中である場合、予め電話装置のスケジューラに設定時刻、メッセージ等を記憶しておく。これによって、設定時刻で自動的に記憶された内容を子供の携帯端末へ通知される。このため、子供は帰宅時間を気にせずに外出できる。
ホームテレホン親機は、電話装置とも呼ばれる。
【００３８】
尚、本実施例ではホームテレホンシステムの親機と子機として説明したが本発明はこれに限定されない。例えばビジネスホンシステムの主装置と内線電話機であってもよい。さらに内線電話機は無線電話機であっても固定電話機であってもよい。
【図面の簡単な説明】
【００３９】
【図１】電話システムのブロック図である。
【図２】携帯端末のブロック図である。
【図３】データベースを説明する図である。
【図４Ａ】親機のメイン処理のフローチャート（その１）である。
【図４Ｂ】親機のメイン処理のフローチャート（その２）である。
【図５】親機の入出判定処理のフローチャートである。
【図６】親機のユーザーの入出カウント処理のフローチャートである。
【図７】親機の外線留守応答処理のフローチャートである。
【図８】親機と携帯端末間のスケジュール通知のシーケンス図（了解）である。
【図９】親機と携帯端末間のスケジュール通知のシーケンス図（変更）である。
【符号の説明】
【００４０】
１１０…親機、１１１…制御部、１１２…内線ＩＦ部、１１３…外線ＩＦ部、１１４…外部機器ＩＦ部、１１５…留守番電話機能部、１１６…カレンダ／時計機能部、１１７…データベース、１２０…子機、１３０…タグリーダ、１４０…人検知センサ、１５０…警報装置、１６０…発光装置、１７０…施錠装置、２００…公衆網、４１０…携帯端末、５１０…外壁、５２０…ドア。
【図１】
2009130910.tif 000003
【図２】
2009130910.tif 000004
【図３】
2009130910.tif 000005
【図４Ａ】
2009130910.tif 000006
【図４Ｂ】
2009130910.tif 000007
【図５】
2009130910.tif 000008
【図６】
2009130910.tif 000009
【図７】
2009130910.tif 000010
【図８】
2009130910.tif 000011
【図９】
2009130910.tif 000012